(57)【要約】【課題】印刷装置を良好な状態に保ちつつ、印刷装置によるジョブ実行効率を向上させること。【解決手段】コントローラ部１１０のＣＰＵ３３は、画像入出力システム（印刷装置）１の操作者による電源スイッチ部７０のＯＦＦにより画像入出力システム１の電源を遮断するシャットダウン要求が受け付けられたことに応じて、プリンタ部６を電源遮断できる状態に移行させる電源断前処理をプリンタ部６に実行させる。また、コントローラ部１１０のＣＰＵ３３は、前記シャットダウン要求が受け付けられた場合は、印刷ジョブに基づく印刷処理が実行されないよう制御する一方で、印刷ジョブとは異なる他のジョブに基づく処理の実行は許可するように制御する。【選択図】図４
2012006306.tif 000002
【特許請求の範囲】
【請求項１】
印刷装置であって、
印刷ジョブを入力する入力手段と、
前記入力手段により入力された前記印刷ジョブに基づいて印刷媒体に印刷処理を行う印刷手段と、
前記印刷装置の操作者による前記印刷装置の電源を遮断する要求を受け付ける受付手段と、
前記受付手段により前記要求が受け付けられたことに応じて、前記印刷手段を電源遮断できる状態に移行させる処理を実行する実行手段と、
前記印刷装置の電源を遮断する要求が前記受付手段により受け付けられた場合は、前記印刷ジョブに基づく前記印刷処理が実行されないよう制御する一方で、前記印刷ジョブとは異なる他のジョブに基づく処理の実行は許可するように制御する制御手段と、
を有することを特徴とする印刷装置。
【請求項２】
前記印刷手段は、前記印刷媒体上の現像剤を熱定着させる定着部を有し、
前記印刷手段を電源遮断できる状態とは、前記定着部の温度が所定温度を下回る状態であることを特徴とする請求項１に記載の印刷装置。
【請求項３】
前記制御手段は、前記実行手段が前記印刷手段を電源遮断できる状態に移行させる処理を実行した後は、前記入力手段による印刷ジョブの入力がされないように制御することを特徴とする請求項１又は２に記載の印刷装置。
【請求項４】
前記制御手段は、実行中のジョブが全て終了した後に、当該印刷装置の電源を遮断するように制御することを特徴とする請求項１乃至３のいずれか１項に記載の印刷装置。
【請求項５】
データを記憶する記憶手段を有し、
前記制御手段は、前記印刷装置の電源を遮断する要求が前記受付手段により受付られた場合は、前記印刷ジョブを待機ジョブとして前記記憶手段に登録し、前記印刷手段を使用しないジョブに変更して、該変更したジョブの実行を許可するように制御することを特徴とする請求項１乃至４のいずれか１項に記載の印刷装置。
【請求項６】
前記印刷ジョブが、ページ記述言語により記述されたデータを含むジョブの場合、前記制御手段は、前記ページ記述言語により記述されたデータを展開した画像データを待機ジョブとして前記記憶手段に記憶することを特徴とする請求項５に記載の印刷装置。
【請求項７】
前記制御手段は、当該印刷装置が起動した際に前記記憶手段に前記待機ジョブが記憶されている場合、該待機ジョブの実行を許可することを特徴とする請求項５又は６に記載の印刷装置。
【請求項８】
前記制御手段は、当該印刷装置が起動した際に前記記憶手段に前記待機ジョブが記憶されている場合、該待機ジョブの一覧を表示部に表示することを特徴とする請求項７に記載の印刷装置。
【請求項９】
印刷媒体に印刷処理を行う印刷部を有する印刷装置の制御方法であって、
前記印刷装置が、印刷ジョブを入力する入力ステップと、
前記印刷装置が、前記入力ステップで入力された前記印刷ジョブに基づいて印刷媒体に印刷処理を行う印刷ステップと、
前記印刷装置が、前記印刷装置の操作者による前記印刷装置の電源を遮断する要求を受け付ける受付ステップと、
前記受付ステップにより前記要求が受け付けられたことに応じて、前記印刷装置が、前記印刷部を電源遮断できる状態に移行させる処理を前記印刷部に実行させるステップと、
前記印刷装置の電源を遮断する要求が前記受付ステップにて受け付けられた場合は、前記印刷装置が、前記印刷ジョブに基づく前記印刷処理が実行されないよう制御する一方で、前記印刷ジョブとは異なる他のジョブに基づく処理の実行は許可するように制御するステップと、
を有することを特徴とする印刷装置の制御方法。
【請求項１０】
印刷装置に設けられたプロセッサを、請求項１乃至８のいずれか１項に記載された印刷装置の手段として機能させるためのプログラム。
【発明の詳細な説明】
【技術分野】
【０００１】
本発明は、印刷装置、印刷装置の制御方法、及び、プログラムに関する。
【背景技術】
【０００２】
高画質を追及した電子写真に代表される印刷装置は、装置使用後すぐに電源を切断すると、機器内のエアフローを確保するためのファンの動作も停止する。そのために、定着器の熱が現像器にまわってトナーを劣化（あるいは固着）させてしまう、或いは、帯電器の放電で生成された物質が感光ドラムに付着して，翌日の最初のジョブで画像不良が発生する等の問題がある。
【０００３】
したがって、これらの影響が無くなるまではエアフローを確保する必要があるため、装置使用後にユーザが電源を切断しようとした際に、電源切断前処理として多くの時間のファン制御を必要とするものが多い。このため、シャットダウン指示から実際の電源切断までに非常に多くの時間を必要としてしまう。
【０００４】
また、ファン制御中に、装置のエラーが発生する可能性もあり、ファン制御に代表される装置の電源を別電源とした場合であっても、その電源以外に表示や制御を司るコントローラの電源も通電しておく必要がある。
【０００５】
このような通電状態は、シャットダウン処理を開始している状態であることが多く、通常は新たなジョブを受け付けない、或いは、実行中のジョブをキャンセルするような装置も多く、実行中のジョブの処理が無駄になってしまうケースが存在する。
【０００６】
このような問題を回避するため、特許文献１では、装置の電源切断時に未処理のデータを不揮発性のメモリに保存することが提案されている。
【先行技術文献】
【特許文献】
【０００７】
【特許文献１】特開２００９−１１６８１８号公報
【発明の概要】
【発明が解決しようとする課題】
【０００８】
上述のように、印刷装置を良好な状態に保つために電源切断前に実行すべき処理（以降、電源断前処理）の処理時間は、ある程度必要であるが、この間であっても画像のプリントを実行しない処理を実行することは可能である。特に、企業や大学内のＰＯＤセンターのように、プリントをまとめて行うような機器において、シャットダウン中も次の日の印刷処理の準備を実行しておくことは、作業の飛躍的な向上をもたらすと予想される。ユーザからは、印刷装置を良好な状態に保ちつつ、印刷装置によるジョブ実行効率をより向上させることが望まれていた。
【０００９】
本発明は、上記の問題点を解決するためになされたものである。本発明の目的は、印刷装置を良好な状態に保ちつつ、印刷装置によるジョブ実行効率を向上させる仕組みを提供することである。
【課題を解決するための手段】
【００１０】
本発明は、印刷装置であって、印刷ジョブを入力する入力手段と、前記入力手段により入力された前記印刷ジョブに基づいて印刷媒体に印刷処理を行う印刷手段と、前記印刷装置の操作者による前記印刷装置の電源を遮断する要求を受け付ける受付手段と、前記受付手段により前記要求が受け付けられたことに応じて、前記印刷手段を電源遮断できる状態に移行させる処理を実行する実行手段と、前記印刷装置の電源を遮断する要求が前記受付手段により受け付けられた場合は、前記印刷ジョブに基づく前記印刷処理が実行されないよう制御する一方で、前記印刷ジョブとは異なる他のジョブに基づく処理が実行されるように制御する制御手段と、を有することを特徴とする。
【発明の効果】
【００１１】
本発明によれば、印刷装置を良好な状態に保ちつつ、印刷装置によるジョブ実行効率を向上させることができる。
【図面の簡単な説明】
【００１２】
【図１】本発明に係る電子部品としてのコントローラ部が搭載された画像入出力システム（画像形成装置）の一実施例を示すブロック図である。
【図２】リーダ部２及びプリンタ部６の構成を示す断面図である。
【図３】コントローラ部１１０の詳細を示すブロック図である。
【図４】ＣＰＵ３３で実行されるジョブの実行の許可／不許可及びシャットダウン制御を行うプログラム制御の一例を示すフローチャートである。
【図５】ＣＰＵ３３で実行される起動時の処理を行うプログラム制御の一例を示すフローチャートである。
【図６】図５のＳ５０２で表示されるシャットダウン中待機ジョブの一覧の一例を示す図である。
【図７】画像入出力システム１の電源構成例を示すブロック図である。
【発明を実施するための形態】
【００１３】
以下、本発明の実施の形態を図面に基づいて詳説する。
【実施例１】
【００１４】
図１は、本発明に係る電子部品としてのコントローラ部が搭載された画像入出力システム（印刷装置）の一実施例を示すブロック図である。
図１において、画像入出力システム１は、イーサネット（登録商標）等のＬＡＮ(Local Area Network)４００を介してホストコンピュータ３，４に接続されている。
画像入出力システム１は、リーダ部（リーダ装置）２、プリンタ部（プリンタ装置）６、操作部７、及び、コントローラ部（制御措置）１１０を有する。リーダ部２は、画像データの読取処理を行う。リーダ部２は、原稿用紙を搬送する原稿給送ユニット１０と、原稿画像を光学的に読み取って電気信号としての画像データに変換するスキャナユニット１１とを有する。
【００１５】
プリンタ部６は、画像データに基づく画像を記録用紙（印刷媒体）に印刷する印刷処理を行う印刷部である。プリンタ部６は、記録用紙を収容する複数段の給紙カセットを備えた給紙ユニット１２と、画像（現像剤像）を記録用紙（印刷媒体）に転写及び記録用紙上（印刷媒体上）の現像剤を熱定着するマーキングユニット１３と、印刷された記録用紙にソート処理やステイプル処理を施して外部に排出する排紙ユニット１４とを有する。
【００１６】
操作部７は、画像データの入出力操作を行うキーボード、及び画像データや各種機能の表示などを行う液晶パネルを備えている。
コントローラ部１１０には、制御プログラムや画像データ等が予め書き込まれたハードディスクドライブ（ＨＤＤ）８が装着されている。コントローラ部１１０は、リーダ部２、プリンタ部６及び操作部７の各構成要素に接続されており、前記各構成要素を制御する。コントローラ部１１０は、スキャナ機能、プリンタ機能、及び、その他の機能を実現可能な機能ブロックを有する。なお、スキャナ機能は、リーダ部２で読み取った画像データをコードに変換し、ＬＡＮ４００を介してホストコンピュータ３、４に送信する機能である。プリンタ機能は、ホストコンピュータ３、４からＬＡＮ４００を介して受信したコードデータを画像データに変換し、プリンタ部６に出力する機能である。
【００１７】
図２は、リーダ部２及びプリンタ部６の構成を示す断面図である。
図２に示すように、リーダ部２は、プリンタ部６に載置されている。リーダ部２では、原稿給送ユニット１０に積層された原稿用紙がその積層順にしたがって、先頭から順次１枚ずつプラテンガラス１５上に給送され、スキャナユニット１１（図１）により読取られ、プラテンガラス１５上から原稿給送ユニット１０に排出される。
【００１８】
スキャナユニット１１では、原稿用紙がプラテンガラス１５上に搬送されてくるとランプ１６が点灯し、次いで光学ユニット１７の移動を開始させ、読み取り位置で固定する。光学ユニット１７は、搬送される原稿用紙を下方から照射し、走査する。原稿用紙からの反射光は、複数のミラー１８〜２０及びレンズ２１を介してＣＣＤイメージセンサ（以下、ＣＣＤ）２２へと導かれ、走査された原稿画像はＣＣＤ２２によって読み取られる。ＣＣＤ２２で読み取られた画像データは、所定の処理が施された後、コントローラ部１１０（図２では省略）に転送される。
【００１９】
なお、スキャナユニット１１は、プラテンガラス１５上に載置された原稿に、同様にランプ１６を点灯し、次いで光学ユニット１７の移動を開始させ、原稿用紙を下方から照射し、走査することで、走査された原稿画像をＣＣＤ２２によって読み取ることもできる。
【００２０】
以上の手順で送出されたリーダ部２からの画像データは、スキャナコネクタ５６を介してコントローラ部１１０に送出される。
次いで、プリンタ部６では、コントローラ部１１０から出力された画像データに対応するレーザ光が、レーザドライバ２３により駆動されるレーザ発光部２４から発光される。このレーザ光によりマーキングユニット１３（図１）の感光ドラム２５を走査することにより、レーザ光に応じた静電潜像が感光ドラム２５上に形成される。現像器２６は、感光ドラム２５上の静電潜像部分に現像剤を付着し、現像剤像を形成する。
【００２１】
一方、レーザ光の照射開始と同期したタイミングで、給紙ユニット１２（給紙カセット１２ａ，１２ｂ）から記録用紙が給紙されて転写部２７に搬送される。転写部２７は、搬送されてきた記録用紙に対して、感光ドラム２５に付着している現像剤を転写する。現像剤画像が転写された記録用紙は定着部２８に搬送される。定着部２８は、搬送されてきた記録用紙に対して加熱・加圧処理を行うことにより、現像剤画像を記録用紙に定着させる。
なお、定着部２８の温度はサーミスタ等で構成される温度センサ９３により測定が可能である。また、ファン（ＦＡＮ）９４を駆動させて、プリンタ部６内のエアフローを確保し、定着部２８の温度上昇を抑え、プリンタ部６内の温度上昇を抑えることが可能である。
【００２２】
片面印刷の場合、プリンタ部６は、定着部２８を通過し搬送されてきた記録用紙を排出ローラ２９まで搬送し、排出ローラ２９によりそのまま排紙ユニット１４に排出する。排紙ユニット１４は、排出された記録用紙を束ねて記録用紙の仕分けを行ったり、仕分けされた記録用紙のステイプル処理やパンチ処理等を行う。
【００２３】
両面印刷の場合、プリンタ部６は、排出ローラ２９まで記録用紙を搬送した後、排出ローラ２９の回転方向を逆転させ、フラッパ９０によって記録用紙を再給紙搬送路９１へと導く。再給紙搬送路９１に導かれた記録用紙は、上述と同様にして転写部２７に搬送される。
【００２４】
図３は、コントローラ部１１０の詳細を示すブロック図である。
図３において、３２はメインコントローラである。メインコントローラ３２は、ＣＰＵ３３とバスコントローラ３４と、後述する各種コントローラ回路を含む機能ブロックを内蔵する。また、メインコントローラ３２は、ＲＯＭ Ｉ／Ｆ３５を介してＲＯＭ３６と接続され、ＤＲＡＭ Ｉ／Ｆ３７を介してＤＲＡＭ３８と接続され、コーデックＩ／Ｆ３９を介してコーデック（Ｃｏｄｅｃ）４０と接続されている。また、メインコントローラ３２は、ネットワークＩ／Ｆ４１を介してネットワークコントローラ（Ｎｅｔｗｏｒｋ Ｃｏｎｔｒｏｌｌｅｒ）４２と接続されている。
【００２５】
ＲＯＭ３６には、メインコントローラ３２のＣＰＵ３３で実行される各種制御プログラムや演算データがコンピュータ読取可能に格納されている。ＤＲＡＭ３８は、ＣＰＵ３３が動作するための作業領域や画像データを蓄積するための領域として使用される。コーデック４０は、ＤＲＡＭ３８に蓄積されたラスターイメージデータをＭＨ／ＭＲ／ＭＭＲ／ＪＢＩＧなどの周知の圧縮方式で圧縮し、また圧縮されたデータをラスターイメージに伸長する。また、コーデック４０には、ＳＲＡＭ４３が接続されており、該ＳＲＡＭ４３は前記コーデック４０の一時的な作業領域として使用される。ネットワークコントローラ４２は、ネットワーク４４を介してＬＡＮ４００との間で所定の制御動作を行う。
【００２６】
また、メインコントローラ３２は、スキャナバス４５を介してスキャナＩ／Ｆ４６に接続され、プリンタバス４７を介してプリンタＩ／Ｆ４８に接続されている。さらに、メインコントローラ３２は、ＰＣＩバス等の汎用高速バス４９を介して拡張ボードを接続するための拡張コネクタ５０及び入出力制御部（Ｉ／Ｏ制御部）５１に接続されている。
【００２７】
Ｉ／Ｏ制御部５１は、リーダ部２やプリンタ部６との間で制御コマンドを送受信するための調歩同期式のシリアル通信コントローラ５２が２チャンネル装備されている。シリアル通信コントローラ５２は、Ｉ／Ｏバス５３を介してスキャナＩ／Ｆ４６及びプリンタＩ／Ｆ４８に接続されている。
【００２８】
スキャナＩ／Ｆ４８は、第一の調歩同期シリアルＩ／Ｆ５４及び第一のビデオＩ／Ｆ５５を介してスキャナコネクタ５６に接続され、さらに該スキャナコネクタ５６はリーダ部２のスキャナユニット１１に接続されている。そして、スキャナＩ／Ｆ４６は、スキャナユニット１１から受信した画像データに対し、所望の２値化処理や、主走査方向及び／又は副走査方向の変倍処理を行う。さらに、スキャナＩ／Ｆ４６は、スキャナユニット１１から送られてきたビデオ信号に基づいて制御信号を生成し、スキャナバス４５を介してメインコントローラ３２に転送する。
【００２９】
また、プリンタＩ／Ｆ４８は、第２の調歩同期シリアルＩ／Ｆ５７及び第２のビデオＩ／Ｆ５８を介してプリンタコネクタ５９に接続され、さらに該プリンタコネクタ５９はプリンタ部６のマーキングユニット１３に接続されている。そして、プリンタＩ／Ｆ４８は、メインコントローラ３２から出力された画像データにスムージング処理を施して該画像データをマーキングユニット１３に出力する。さらに、プリンタＩ／Ｆ４８は、マーキングユニット１３から送られたビデオ信号に基づいて、生成された制御信号をプリンタバス４７に出力する。
【００３０】
ＣＰＵ３３は、ＲＯＭ３６からＲＯＭ Ｉ／Ｆ３５を介して読み込まれた制御プログラムに基づいて動作し、例えば、ホストコンピュータ３，４から受信したＰＤＬ（ページ記述言語）データを解釈し、ラスターイメージデータに展開処理を行うプロセッサである。
【００３１】
バスコントローラ３４は、スキャナＩ／Ｆ４６、プリンタＩ／Ｆ４８、その他、拡張コネクタ５０等に接続された外部機器から入出力されるデータ転送を制御するものであり、バス競合時のアービトレーション（調停）やＤＭＡデータ転送の制御を行う。例えば、上述したＤＲＡＭ３８とコーデック４０との間のデータ転送や、スキャナユニット１１からＤＲＡＭ３８へのデータ転送、ＤＲＡＭ３８からマーキングユニット１３へのデータ転送等は、バスコントローラ３４によって制御され、ＤＭＡ転送される。
【００３２】
Ｉ／Ｏ制御部５１は、ＬＣＤコントローラ６０及びキー入力Ｉ／Ｆ６１を介して、パネルＩ／Ｆ６２に接続されており、パネルＩ／Ｆ６２は操作部７に接続されている。また、前記Ｉ／Ｏ制御部５１は、不図示の不揮発性メモリや、Ｅ−ＩＤＥコネクタ６３を介してＨＤＤ８、さらに、機器内で管理する日付と時刻を更新／保存するリアルタイムクロックモジュール６４に接続されている。なお、リアルタイムクロックモジュール６４は、バックアップ用電池６５に接続されて該バックアップ用電池６５によりバックアップされている。
【００３３】
以下、図４、図５のフローチャートに沿ってメインコントローラ３２のＣＰＵ３３で実行されるプログラムの動作について説明する。
図４は、ＣＰＵ３３で実行されるジョブの実行の許可／不許可及びシャットダウン制御を行うプログラム制御の一例を示すフローチャートである。このフローチャートは、ＣＰＵ３３がＲＯＭ３６、ＨＤＤ８又はその他の記録媒体にコンピュータ読取り可能に格納されたプログラムを読み出して実行することにより実現される。
【００３４】
ＣＰＵ３３は、ＰＣ３或いはＰＣ４からのプリントデータ、若しくはスキャナユニット１１から入力される画像データを、マーキングユニット１３に転送して印刷することが可能である。また、ＣＰＵ３３は、操作部７の指示でスキャンしたデータをＨＤＤ８に保存することが可能で、保存したデータをＰＣ３やＰＣ４にＬＡＮ４００を介して送ることができる。
【００３５】
Ｓ４０１では、画像入出力システム１がスタンバイ状態（ジョブ実行可能状態）であり、ＣＰＵ３３は、装置に対してジョブ要求がされているかを確認し、実行前のジョブが有れば（Ｓ４０１でＹｅｓ）、Ｓ４０２において、このジョブの実行を許可する。この状態では、シャットダウン処理を行っていないので、ＣＰＵ３３は、画像入出力システム１に要求されたプリントジョブ（印刷ジョブ）を含む全てのジョブの実行を許可し、Ｓ４０３に処理を進める。
【００３６】
なお、シャットダウン処理以外の故障やシステムへのアクセス制限等の他の要因でジョブの実行を許可しないケースもあり得るが、本発明とは直接関係しないので説明を省略する。また、ジョブの受付処理自体は、ＣＰＵ３３で並行して実行される別プログラムが行っており、ジョブの受付はジョブの種類、ジョブの要求元等をＨＤＤ８に記録することで行われる。以下、Ｓ４１１でＣＰＵ３３がジョブ受付を禁止するまで、ジョブの受付処理は継続して可能である。
【００３７】
上記Ｓ４０１において、ＣＰＵ３３が実行前のジョブが無いと判定した場合も（Ｓ４０１でＮｏ）、ＣＰＵ３３は処理をＳ４０３に移行する。
Ｓ４０３では、ＣＰＵ３３は、シャットダウン要求があるか否かを確認する。画像入出力システム１のユーザ（操作者）により後述する図７に示す電源スイッチ部７０をＯＮからＯＦＦに切り替えられた場合、これらの情報がＣＰＵ３３に通知される。この通知を受けると、ＣＰＵ３３はシャットダウン要求（装置の電源を遮断する要求）があったと判断する。なお、操作部７、或いはネットワーク上のＰＣ３やＰＣ４から電源を落とす指示を行うことにより、後述する図７に示す電源スイッチ部７０をＯＮからＯＦＦに切り替え、ＣＰＵ３３はシャットダウン要求があったと判断するようにしてもよい。
【００３８】
上記Ｓ４０３において、シャットダウン要求がないと判定した場合（Ｓ４０３でＮｏ）、ＣＰＵ３３は、処理をＳ４０１に戻す。
一方、Ｓ４０３において、シャットダウン要求があると判定した場合（Ｓ４０３でＹｅｓ）、処理をＳ４０４に移行する。
Ｓ４０４では、ＣＰＵ３３は、実行中のプリントジョブ（図４において、プリンタ部６を使用するジョブ）があるかどうかを確認する。なお、図４において、「プリントジョブ」とは、「プリンタ部６を使用するジョブ」を意味することとする（印刷ジョブともいう）。
そして、実行中のプリントジョブが無いと判定した場合（Ｓ４０４でＮｏ）、ＣＰＵ３３は、Ｓ４０５に処理を進める。一方、上記Ｓ４０４で実行中のプリントジョブがあると判定した場合（Ｓ４０４でＹｅｓ）、ＣＰＵ３３は、実行中のジョブが終了するまで待機し、実行中のプリントジョブが終了すると、Ｓ４０５に処理を移行する。
【００３９】
Ｓ４０５では、ＣＰＵ３３は、プリンタＩ／Ｆ４８を介してプリンタ部６に対して電源断前処理の実行を指示し、処理をＳ４０６に移行する。
Ｓ４０６では、ＣＰＵ３３は、画像入出力システム１で実行を要求されている実行前のジョブがあるかを確認する。そして、実行前のジョブがあると判定した場合（Ｓ４０６でＹｅｓ）、ＣＰＵ３３は、Ｓ４０７に処理を移行し、実行前のジョブがプリントジョブで有るか否かを確認する。
【００４０】
そして、実行前のジョブがプリントジョブでないと判定した場合（Ｓ４０７でＮｏ）、ＣＰＵ３３は、プリントジョブ以外のジョブの実行は可能であると判断し、Ｓ４０９において、そのジョブの実行を許可し、Ｓ４０６に処理を戻す。なお、プリントジョブ以外のジョブとは、プリンタ部６を使用しないジョブであり、例えば、リーダ部２を使用して原稿のスキャンを行ってＨＤＤ８に保存する処理、ＨＤＤ８に保存された画像をＰＣ３やＰＣ４に転送する処理等を含む。また、ＰＣ３やＰＣ４からのデータをＨＤＤ８に保存し、印刷処理を実行しない処理等も含む。
【００４１】
一方、実行前のジョブがプリントジョブであると判定した場合（Ｓ４０７でＹｅｓ）、ＣＰＵ３３は、処理をＳ４０８へ移行する。
Ｓ４０８では、ＣＰＵ３３は、プリントジョブを、印刷処理は実行せず次回の電源ＯＮ時にプリント処理の実行ができるように画像データをＨＤＤ８に保存するジョブ（即ち、プリンタ部６は使用しないジョブ）に、ジョブの動作を変更して、実行許可する。さらに、上記画像データをＨＤＤ８に保存する際、ＣＰＵ３３は、上記画像データがシャットダウン中にプリント待機ジョブとして登録されたという情報をジョブの属性として、上記データに関連付けてＨＤＤ８に保存しておく。ジョブの属性とは、ジョブが持つパラメータであり、ＨＤＤ８にジョブと対応付けて保存される。なお、上記プリントジョブがページ記述言語で表現されている場合、ＣＰＵ３３は、プリントジョブをプリント直前のビットマップデータ（画像データ）に展開したものをＨＤＤ８に保存するジョブに、ジョブの動作を変更して、実行許可するものとする。
【００４２】
上記Ｓ４０８の処理が終了すると、ＣＰＵ３３は、Ｓ４０６に処理を戻す。
一方、Ｓ４０６において、ＣＰＵ３３が、画像入出力システム１で実行を要求されている実行前のジョブがないと判定した場合（Ｓ４０６でＮｏ）、ＣＰＵ３３は、Ｓ４１０に処理を移行する。
【００４３】
Ｓ４１０では、ＣＰＵ３３は、プリンタＩ／Ｆ４８を介してプリンタ部６の電源断前処理が終了したか否かを確認する。
ここで、プリンタ部６の電源断前処理について説明する。
電源断前処理は、プリンタ部６を電源遮断できる状態に移行させる処理である。電源断前処理では、プリンタ部６は、主にマーキングユニット１３の状態を確認する。プリンタ部６は、図２に示した温度センサ９３で測定した温度に基づき、定着部２８の温度が所定温度を下回っているかどうかを確認する。そして、プリンタ部６は、定着部２８の温度が所定温度を下回っていることを確認した後、プリンタ装置の電源を正常に断つことが出来ることを、プリンタＩ／Ｆ４８を介してＣＰＵ３３に通知する。定着部２８の温度が十分に下がっていない状態で電源を切断すると、現像剤の温度が上昇し、劣化が発生する可能性がある。プリンタ部６は、温度センサ９３により、十分に定着部２８の温度が下がった（所定温度を下回った）と判断すると、プリンタ装置の電源を正常に断つことが出来ることをプリンタＩ／Ｆ４８を介してＣＰＵ３３に通知する。なお、温度センサ９３を備えていないプリンタ部６では、例えば、定着部２８の温度が十分に下がる（所定温度を下回る）と想定される時間の経過を待って、プリンタ装置の電源を正常に断つことが出来ることをＣＰＵ３３に通知するものとするものとする。
【００４４】
そして、Ｓ４１０において、ＣＰＵ３３が、プリンタ部６の電源断前の処理が完了しておらず、プリンタ装置の電源を正常に断つことができないと判定した場合（Ｓ４１０でＮｏ）、処理をＳ４０６に戻す。
【００４５】
一方、Ｓ４１０において、ＣＰＵ３３が、プリンタ部６の電源断前の処理が完了しており、プリンタ装置の電源を正常に断つことができると判定した場合（Ｓ４１０でＹｅｓ）、処理をＳ４１１に移行し、これ以降、ジョブの受付を禁止する。
【００４６】
そして、Ｓ４１２において、ＣＰＵ３３は、実行中のジョブがあるか判定し、実行中のジョブが無いと判定した場合（Ｓ４１２でＮｏ）、Ｓ４１３に処理を進める。
一方、Ｓ４１２において、実行中のジョブがあると判定した場合（Ｓ４１２でＹｅｓ）、ＣＰＵ３３は、実行中のジョブが無くなるまで待機し、実行中のジョブがなくなると、Ｓ４１３に処理を進める。
Ｓ４１３では、ＣＰＵ３３は、システムのＨＤＤの整合性チェック等のシステムシャットダウン処理を行い、システムの電源をＯＦＦ（切断）して、処理を終了する。
【００４７】
以上のように、画像入出力システム１（印刷装置）がシャットダウン中であっても、電源断前処理中にジョブ種類に応じて効率的にジョブを実行する（プリンタ部６を使用しないジョブを実行する）ことで、画像入出力システム１の稼働率を向上させることができる。
【００４８】
以上、図４のフローチャートでは、画像入出力システム１のシャットダウン中のジョブの処理について説明した。
次に、図５のフローチャートでは、図４の処理でシャットダウンされた画像入出力システム１が再び起動した際、図４でプリント処理を実施しなかったプリント中待機ジョブを実行する動作について説明する。
【００４９】
図５は、ＣＰＵ３３で実行される起動時の処理を行うプログラム制御の一例を示すフローチャートである。このフローチャートは、ＣＰＵ３３がＲＯＭ３６、ＨＤＤ８又はその他の記録媒体にコンピュータ読取り可能に格納されたプログラムを読み出して実行することにより実現される。
【００５０】
図４のＳ４０４でＨＤＤ８に保存されたシャットダウン中待機ジョブは、シャットダウン中にプリント待機ジョブとして登録されたという情報をジョブの属性として、画像データと関連付けられてＨＤＤ８に保存されている。プリンタ部６の電源断前処理が完了し、最終的に電源を断たれた後、画像入出力システム１が次回起動した際、ＣＰＵ３３は、図５のＳ５０１の処理を実行する。
【００５１】
まず、Ｓ５０１において、ＣＰＵ３３は、図４のＳ４０８で保存されたシャットダウン中待機ジョブがＨＤＤ８に有るか否を確認する。そして、ＨＤＤ８に保存されているシャットダウン中待機ジョブが無いと判定した場合（Ｓ５０１でＮｏ）、ＣＰＵ３３は、図５の起動処理を終了し、図４のＳ４０１に処理を移行する。
【００５２】
一方、ＨＤＤ８に保存されているシャットダウン中待機ジョブが有ると判定した場合（Ｓ５０１でＹｅｓ）、ＣＰＵ３３は、Ｓ５０２に処理を進める。
Ｓ５０２では、ＣＰＵ３３は、ＨＤＤ８に保存されているシャットダウン中待機ジョブの一覧を作成し、図６に示すように、操作部７の表示部に表示する。
図６は、図５のＳ５０２で表示されるシャットダウン中待機ジョブの一覧の一例を示す図である。
上記Ｓ５０２のジョブの一覧の表示を完了すると、ＣＰＵ３３は、図５の起動処理を終了し、図４のＳ４０１に処理を移行する。即ち、ＣＰＵ３３は、ＨＤＤ８に保存されたシャットダウン中待機ジョブの実行の許可／不許可を、図４に示したジョブの実行の許可／不許可及びシャットダウン制御を実施するプログラムによって管理する。
【００５３】
ＣＰＵ３３は、図４のＳ４０１で実行前ジョブがあるかを確認する。確認時にはＨＤＤ８に保存されているジョブを確認し、ジョブの実行の許可が、図４のＳ４０２で行われる。これにより、ＨＤＤ８に保存されたシャットダウン中待機ジョブのように、プリンタ部６を使用するジョブは、プリンタ部６が印刷実行可能となり次第、順次プリント実行されることとなる。
【００５４】
上述のような流れを実行することで、画像入出力システム１は、プリンタ部６が電源を断つ準備できるまでの間の時間も有効にジョブの実行が可能となる。また、プリンタ部６の電源断準備が整った状態で速やかに電源を断つことが可能となる。さらに、電源投入時に前回シャットダウン中にプリントできなかったジョブの一覧を表示することで、ユーザが電源投入時のジョブ状態を速やかに確認することが可能となる。さらに、画像入出力システム１の再起動後に、上記プリンタ部６が電源を断つ準備できるまでの間に保存したシャットダウン中待機ジョブを速やかに実行することができる。
【００５５】
最後に、図７を参照して、画像入出力システム１の電源構成例については説明する。
図７は、画像入出力システム１の電源構成例を示すブロック図である。
画像入出力システム１の電源は、自動シャットダウン制御方式であり、電源スイッチ部７０は、電気的にスイッチをＯＦＦすることができるソレノイドスイッチと、そのスイッチの状態を通知する機能を有している。電源制御部７４は、電源スイッチ部７０のスイッチ状態を検出して、シャットダウン処理の指示やリセット指示や電源断の指示などを出す制御部である。
【００５６】
ＡＣ／ＤＣ電源部７２は、交流電源をコントローラ部１１０等が要求する直流電源に変換する電源である。電源リレー部７１は、電源スイッチ部７０が切断された場合でも、ＡＣ／ＤＣ電源部７２に外部からのＡＣ電源を供給することができるように電源スイッチ部７０と並列に配置された電気リレーである。
【００５７】
ＡＣ／ＤＣ電源部７２は、コントローラ部１１０だけでなく画像入出力システム１全体の電源であり、ＣＰＵ３３は電源制御部７４からの指示に基づいてシャットダウン処理やリセットを実行すると共に、画像入出力システム１全体の制御を行うことが可能である。
【００５８】
リセット部７５は、電源制御部７４からのリセット指示に応じて、コントローラ部１１０全体に対してハードウェアリセットを行い、システムの再起動を実行するハードウェアリセットである。電源スイッチ部７０は、ユーザがシステムのＯＦＦ／ＯＮを実施する際に使用するスイッチである。
【００５９】
以下、ユーザがシステムの電源ＯＦＦを要望する場合の動作について簡単に説明する。
電源スイッチ部７０がＯＮからＯＦＦに切り替えられた場合、電源制御部７４に内蔵される割り込み制御部が、ＣＰＵ３３に対して割り込み信号をアサートし、ＣＰＵ３３に電源スイッチがＯＦＦされたことを通知する。図４に示した制御ソフトウェアを実行中のＣＰＵ３３は、電源スイッチＯＦＦ通知を受け取ると、図４に示した制御ソフトウェアに基づいてシャットダウン処理を開始する。すなわち、ＣＰＵ３３は、図４のＳ４０３でシャットダウン要求があったと判定し、Ｓ４０４〜Ｓ４１３の処理を実行する。そして、図４の制御ソフトウェアを実行中のＣＰＵ３３は、ＨＤＤ８等のシャットダウン処理が完了すると、電源制御部７４内のリレー制御部に対して、シャットダウン処理の完了を通知する。電源制御部７４内のリレー制御部は、シャットダウン完了通知を受け取ると、リレー断信号を介して電源リレー部７１をＯＦＦに設定する。このような一連の処理によって、電源スイッチ部７０及び電源リレー部７１が共にＯＦＦ状態となり、画像入出力システム１の電源断が完了する。
【００６０】
上述のような流れを実行することで、画像入出力システム１は、プリンタ部６が電源を断つ準備できるまでの間の時間（プリンタ部６の電源断前処理が完了するまでの時間）も有効にジョブの実行が可能となる。また、プリンタ部６の電源断準備が整った状態で（プリンタ部６の電源断前処理が完了すると）速やかに電源を断つことが可能となる。
【００６１】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００６２】
また、上記各実施例を組み合わせた構成も全て本発明に含まれるものである。
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００６３】
１    画像入出力システム
２    リーダ部（リーダ装置）
３，４    クライアントＰＣ
６    プリンタ部（プリンタ装置）
７    操作部
８    ハードディスクドライブ（ＨＤＤ）
１１０  コントローラ部（制御装置）
【図１】
2012006306.tif 000003
【図２】
2012006306.tif 000004
【図３】
2012006306.tif 000005
【図４】
2012006306.tif 000006
【図５】
2012006306.tif 000007
【図６】
2012006306.tif 000008
【図７】
2012006306.tif 000009